(57)【要約】【課題】利用される部屋の環境に対応したセンサーを配設しての省施工・低コスト状態であっても、安全性を確保できるようにすること。【解決手段】子機１には、煙を検知する煙センサー３、ＣＯを検知するＣＯセンサー４及び生ガスを検知する生ガスセンサー５の中の少なくとも１つのセンサーが内蔵され、親機２には、温度を検知する火災センサー７とスピーカー等の警報機能８が内蔵されている。また、子機１と親機２と間で、それぞれのアンテナ６、９を介して無線通信が行われる。これによって、子機１に搭載されたセンサーや親機２に搭載された火災センサーが異常を検出すると、親機２に搭載されたスピーカーによって異常であることが警報されるので安全性が確保される。【選択図】  図１
2004258968.tif 000002
【特許請求の範囲】
【請求項１】
煙を検知する煙センサー、一酸化炭素を検知するＣＯセンサー及びメタンガスを検知する生ガス検知センサーの中の少なくとも一つのセンサーを有する子機と、温度を検知する火災センサーとスピーカー等の警報機能を有する親機と、前記親機と前記子機とが通信する通信機能とを備えた警報器。
【請求項２】
親機に煙を検出する煙センサーを備えた請求項１に記載の警報器。
【請求項３】
煙を検出する煙センサーと一酸化炭素を検出するＣＯセンサーの中の少なくとも一つを有する第１の子機と、空気より重いプロパンガスを検出する生ガス検知センサーを有する第２の子機と、温度を検出する火災センサーとスピーカー等の警報機能を有する親機と、前記親機、前記第１の子機及び前記第２の子機とが通信する通信機能とを備えた警報器。
【請求項４】
調理時に火災が発生する虞のある調理器具を備えた部屋に親機を配設し、前記部屋以外の所に子機を配設した請求項１、２又は３に記載の警報器。
【請求項５】
親機を商用電源で駆動し、子機を電池電源で駆動する請求項１〜４のいずれか１項に記載の警報器。
【請求項６】
複数のセンサーが同時に異常を検出した時、前記各センサー毎に予め定められた優先順位にしたがい親機の警報機能を介し異常を警報する請求項１〜５のいずれか１項に記載の警報器。
【請求項７】
親機及び子機は、それぞれ少なくとも１個備えられると共に、前記親機及び前記子機にはＩＤを登録して、どの部屋に異常が発生したかを判別する請求項１〜６のいずれか１項に記載の警報器。
【発明の詳細な説明】
【０００１】
【発明の属する技術分野】
本発明は、煙や生ガスが発生したり、あるいは部屋の温度が異常値になった際、これを事前に検知して安全性を確保する警報器に関する。
【０００２】
【従来の技術】
従来、この種の警報器においては、ＣＯセンサーなどの各種センサーは火災警報器と一体化され、ケーシングに収納されたものが一般的である（特許文献１参照）。図１０は、前記特許文献１に記載された従来の警報器を示すものであり、警報器１には、感熱センサー２や煙検知センサー３やＣＯセンサー４及び炭化水素ガスセンサー５が配設されている。
【０００３】
【特許文献１】
特開２０００−１３２６７１号公報（図１）
【０００４】
【発明が解決しようとする課題】
しかしながら、上記従来の構成では、一つのケースに一体的に各センサーが配設されているので、これらをそれぞれの部屋に配設した場合、部屋によっては全く有効に作動することがないセンサーが有ったりして、無駄になっていた。ところで、各センサーが働く場合を考察して見ると下記の場合が多い。
【０００５】
統計上、部屋が台所の場合は天ぷら火災が断然に多く、したがってこの場合には、温度式のサーミスタセンサーが有効である。一方、居間などで火災が発生する時は、寝煙草による場合などが多く、また煙の発生が最初で煙にまかれて逃げ遅れる場合を想定すると上記の温度式のサーミスタセンサーよりは煙センサーのほうが早く作動するので有利である。これらのことからして、各部屋の状態に応じたセンサーを設置した方が省施工性で安価にできるものの、各部屋に最適なセンサーを配設するという技術思想はなく、またこうすることが結果的に省施工に結びつくという思想もなかった。
【０００６】
本発明は、前記従来の課題を解決するもので、ガス警報器としてのセンサーと、火災警報器としてのセンサーとを各々最適な組合わせとした分離型警報器とし、各部屋に応じて効率的に異常を検出することを目的にしている。
【０００７】
【課題を解決するための手段】
本発明の警報器は、煙を検知する煙センサー、ＣＯを検知するＣＯセンサー、メタンガスを検知する生ガスセンサーの少なくとも一つのセンサーを備えた子機と、温度を検知する火災センサーとスピーカー等の警報機能とを有する親機とからなり、前記親機と子機を通信するようにしたものである。
【０００８】
本発明によれば、子機を居間等に配置し、親機を調理器具を有する部屋、例えば台所などに配置し、前記親機と子機を通信させて各センサーの異常をスピーカーからなる警報機能にて報知されるようにしているので、調理器具を有する台所等からのてんぷら火災には温度を検知する火災センサーにて異常を検出でき、調理器を有しない居間等での煙草等による火災には煙センサーにて効率的に検出できる。
【０００９】
【発明の実施の形態】
請求項１に記載の発明は、煙を検出するセンサーとＣＯを検出するＣＯセンサーとメタンガスを検出する生ガスセンサーの少なくとも１つのセンサーを有する子機と、温度を検知する火災センサーとスピーカーからなる警報機能とを有する親機とからなり、親機と子機を通信させ、各部屋に最適なセンサーを搭載した子機により検出される異常及び親機に搭載されている温度を検出する火災センサーから検出される異常を親機のスピーカにより警報をさせることにより、家にいる人に異常を知らせ危険な状況から早く脱出することが出来るものである。
【００１０】
請求項２に記載の発明は、親機に煙を検出する煙センサーを配置したことにより、温度を検出する火災センサーにて検出される以外の寝煙草などの火災をも検出出来る警報器を提供するものであり、台所とリビングが同一空間に設けられる住居での天ぷらや寝煙草での火災を早く検出し異常を知らせられる様にしたものである。
【００１１】
請求項３に記載の発明は、煙を検出する煙センサーとＣＯを検出するＣＯセンサーの少なくとも一つを備えた第１の子機と、空気より重いプロパンガスを検出する生ガスセンサーを備えた第２の子機と、温度を検出する火災センサーとスピーカーからなる警報機能とを有する親機とからなり、親機と第１の子機と第２の子機を通信させることにより、プロパンガスを使用する家庭での異常を検出させることが出来る。
【００１２】
請求項４に記載の発明は、調理器具を有し調理時に火災が発生する恐れのある部屋に親機を配設し、調理器を有しない部屋に子機を配設することにより、各部屋で発生する異常に対応した警報を出し、各部屋で生活する人に異常を確実に知らせることが出来る。
【００１３】
また、請求項５に記載の発明は、親機を商用電源で駆動させ、子機を電池電源駆動とさせたもので、各センサーにて異常を検出した時は、親機から警報をすることにより、スピーカ等大電流が必要で且つ異常時には確実に警報させることが出来る。
【００１４】
また、請求項６に記載の発明は、各々の閾値を有するセンサーが同時に異常を検出した時、各センサーに優先順位を設け、親機のスピーカーからなる警報機能にて優先順に各センサーの異常を警報することにより、家にいる人にレベルの高い異常を先に警報させ、家の人をより早く脱出させるものである。
【００１５】
また、請求項７に記載の発明は、親機は少なくとも１個、子機は少なくとも１個として、個々の子機と親機にはＩＤを登録して、どの部屋に異常が発生したかを判別する様にしたことにより、どの部屋で異常が発生しているかを知らせることが出来る。
【００１６】
【実施例】
以下、本発明の実施例について、図１〜図９を参照しながらを説明する。
【００１７】
（実施例１）
図１は、本発明の実施例１における警報器の構成を示すものである。図１において、１は子機で、煙を検知する煙センサー３とＣＯを検知するＣＯセンサー４と生ガス例えば都市ガスであればメタンを検知する生ガスセンサー５の少なくとも１つのセンサーを内蔵している。親機２は、温度を検知する火災センサー７とスピーカーからなる警報機能８を内蔵している。また、親機２と子機１との無線通信は、子機１と親機２のアンテナ６と９を介して行われる。アンテナ６と９は、パターンアンテナとして子機１と親機２に内蔵することもある。実施例では無線通信としているが有線での通信とすることも出来る。
【００１８】
以上のように構成された警報器について、以下にその作用について説明する。子機１に搭載されたセンサーや親機２に搭載された火災センサーが異常を検出すると、親機２に搭載されたスピーカーからなる警報機能によって異常を警報するものである。子機１に搭載される煙センサーとしては、光電式やイオン式が使用されるが、省電力なのはイオン式であり、光電式は消費電力が大きい。ＣＯセンサー４及び生ガスセンサー５は、半導体式センサーが使用されるもので、センサ素子としてはＳｎＯ２を主体とするものである。親機２に搭載される火災センサー７にはサーミスタが使用される。
【００１９】
以上のように、警報機能によって異常を警報されることにより、家の人が異常を知り危険な状況から脱出することが出来る。
【００２０】
（実施例２）
図２は、本発明の実施例２における警報器の異常検出モード説明図を示す。図２において、煙センサー３及びＣＯセンサー４及び生ガスセンサー５及び火災センサー７が各閾値を超えて異常を検出するとスピーカー８から警報するものである。煙センサー３や火災センサー７が作動すると、「火災です」の警報を発し、ＣＯセンサーが、例えば閾値１００ｐｐｍを超えて作動すると、「ＣＯ発生です」と警報を発するもので、生ガスセンサー５が作動すると、「ガス漏れです」等の警報を発して、更には「避難して下さい」と危険に対して避難誘導するものである。
【００２１】
（実施例３）
図３は、本発明の実施例３において、親機に煙センサーを搭載した警報器の構成図である。図３において、親機２に煙を検出する煙センサー３を備えたもので、天ぷら火災には温度を検出する火災センサー７で対応し寝煙草などの火災には煙を検出する煙センサー３で対応するものである。これによって、台所やリビングが同一の空間に設けられる住宅では、天ぷら火災や寝煙草での火災がいずれも発生しうるので、そのような状態での異常を知らせることができる。
【００２２】
（実施例４）
図４は、本発明の実施例４において、第２の子機にプロパンガスを検出する生ガスセンサーを搭載した警報器の説明図である。図４は子機１には煙を検出する煙センサーとＣＯを検出するＣＯセンサーの少なくとも１つのセンサーを配設し、第２の子機１０には空気より重いプロパンガスを検出する生ガスセンサー１１を配設し、プロパンガスのガス漏れに対して安全を確保するシステムを提供するものである。第１の子機１は各部屋の天井や壁の上部に配置し、寝煙草の煙や空気より軽いＣＯを検出し易いところに配置させるものであり、第２の子機１０は床面近くの底面付近に設置されて空気より重いプロパンを検出させるものである。親機２には温度を検出する火災センサー７とスピーカー８からなる警報機能を有している。プロパンガスを検出する生ガスセンサー１１としては半導体式ガスセンサーが使用され、センサー素子としてはＳｎＯ２が使用される。
【００２３】
これによって、プロパンガスを使用する家庭での異常を知らせることが可能となる。
【００２４】
（実施例５）
図５は、本発明の実施例５において、調理器を有する部屋に親機を配設し、他の部屋に子機を配設した警報器の説明図である。図５において、子機１は居間１０に設置され、親機２は台所１１に設置され、台所１１にはキッチン１３が設置され、ガステーブル等の調理器がある。調理器からの天ぷら火災には、温度を検出する火災センサー７で火災を検出することができる。
【００２５】
（実施例６）
図６は、本発明の実施例６において、子機１を電池電源とし親機２を商用電源とした警報器の説明図である。図６において、１３は電池電源で子機１の電源であり、１４は親機２の電源であり商用電源でありＡＣ１００ＶやＡＣ２００Ｖが一般的である。子機１の電池にはリチューム電池等電池容量の大きいものを使用し、親機２の電源にはスピーカー等音声のパワー電源を必要とする為商用電源を使用するものである。
【００２６】
以上により、スピーカ等大容量が必要で且つ異常時には確実に警報させることができる。
【００２７】
（実施例７）
図７は、本発明の実施例７において、子機と親機とからなる警報器の検出モード説明図である。図７で、火災発生の場合について、各センサーの作動順序を示したものである。台所では天ぷら火災が発生した時、天ぷら火災は急激な温度上昇をする特徴があり、まず温度センサーが閾値を超え異常を検出する。続いて煙センサーまたはＣＯセンサーが閾値を越えるパターンが多い。一方、居間等では、寝煙草の火災等が多く、居間等では天ぷら火災と異なるセンサーの作動順序となる。寝煙草では、煙センサーがまず閾値を超え、続いてＣＯセンサーまたは温度センサーが閾値を越える場合が多い。
【００２８】
（実施例８）
図８は、本発明の実施例８において、各センサーの警報に優先順位を設けた警報器の検出モード説明図。図８で、火災発生時に、警報を出す優先順位は、第１位に温度センサーが閾値を超えた時で、第２位には煙センサーが閾値を超えた時、第３位にはＣＯセンサーが閾値を超えた時である。火災発生時に大事なことは、早く火災発生を知らせ、早く逃げ出させるようにすることである。ＣＯ発生時には、ＣＯセンサーが閾値を超えた時警報を出す。ガス漏れ時には、生ガスセンサーが閾値を超えた時、警報を出すものである。
【００２９】
ここで、各センサーがマイコン処理上検出したデータを移動平均して処理することが多い。例えば、１．６秒ごとにセンサーの値を読み取り８回の移動平均で判断すると、１．６×８＝１２，８秒かかる。この移動平均の間に、火災センサーや煙センサーＣＯセンサー生ガスセンサーからなる各センサーが同時に異常を検出する場合が発生する時には、避難誘導を第一にして、「異常発生です」「避難して下さい」とまず警報を発する。各センサーが同時に異常を検出した時には、火災センサー＞煙センサー＞ＣＯセンサー＞ガス漏れセンサーの順番で警報させるようにしたものである。すなわち、「火災です」「ＣＯ発生です」「ガス漏れです」の順で、警報をする様にしたものである。
【００３０】
（実施例９）
図９は、本発明の実施例９において、子機と親機の警報器設置説明図である。図９で、台所１２に親機２を配置し、子機１ｃを居間１１に、子機１ａを寝室１５に、子機１ｂをリビング１６に配置した例である。ここで例えば、親機２にＩＤ登録１００を登録し、子機１ｃに１０１を、子機１ａに１０２を、子機１ｂに１０３を登録したとすると、これらを管理することで、どこで何が発生したかを警報させることが出来る。
【００３１】
【発明の効果】
以上の説明から明らかのように、本発明の警報機によれば次の効果が得られる。煙センサーとＣＯセンサーと生ガスセンサーのうち少なくとも１つのセンサーを内蔵する子機と、温度を検知する火災センサーとスピーカーを有する親機とからなり、親機と子機を通信させることにより、省施工・低コストで設置出来、１個のスピーカーで家中に警報することが出来、家にいる人に異常を知らせて、危険な状況から早く脱出することが出来る。
【００３２】
また、親機に煙センサーを搭載したことにより、台所とリビングが同一空間に設けられる住居での天ぷら火災や寝煙草の火災を早く検出し、異常を知らせることが出来る。
【００３３】
また、プロパンガスを検出する生ガスセンサーを第２の子機に設けたことにより、プロパンガスを使用する家庭での異常を検出することが出来る。
【００３４】
また、台所等の調理器具等から急激な温度上昇を発生させるものがある所には温度センサーを配置し、居間等での寝煙草による火災には煙センサーを配置し、各部屋での異常について、各センサーをダブって設けることなく検出出来る。
【００３５】
また、親機をＡＣ１００Ｖ電源とし子機電源を電池で構成しているので、スピーカーの様に大きい音量で異常を警報することが可能である一方、子機は電池で構成されているので省施工が出来る。
【００３６】
また、各センサーに異常を検知した時、各センサーに優先順位を設けたので、同時に異常を生じた時でも、優先度の高い警報を出すことが出来る。
【００３７】
更に、各子機と親機にはＩＤコードを設けたので、どの警報器が警報を出したのかを管理出来る。
【図面の簡単な説明】
【図１】本発明の実施例１における警報器の構成を示す構成図
【図２】本発明の実施例２における異常検出モードを説明するフローチャート
【図３】本発明の実施例３における親機に煙センサーを搭載した形態の構成図
【図４】本発明の実施例４における第２の子機にプロパンガスを検出する生ガスセンサーを搭載した形態の構成図
【図５】本発明の実施例５における調理器を有する部屋に親機を配設し、他の部屋に子機を配設した形態の構成図
【図６】本発明の実施例６における子機を電池電源とし親機を商用電源とした形態の構成図
【図７】本発明の実施例７における警報器の検出モードを説明する図
【図８】本発明の実施例８における各センサーの警報に優先順位を設けた警報器の検出モードを説明する図
【図９】本発明の実施例９における子機と親機の警報器の設置状態を説明する図
【図１０】従来の警報器を説明する構成図
【符号の説明】
１  子機
２  親機
３  煙センサー
４  ＣＯセンサー
５  生ガスセンサー
７  火災センサー
８  スピーカー
１１  煙センサー
１３  調理器
１４  電池電源
１５  商用電源
【図１】
2004258968.tif 000003
【図２】
2004258968.tif 000004
【図３】
2004258968.tif 000005
【図４】
2004258968.tif 000006
【図５】
2004258968.tif 000007
【図６】
2004258968.tif 000008
【図７】
2004258968.tif 000009
【図８】
2004258968.tif 000010
【図９】
2004258968.tif 000011
【図１０】
2004258968.tif 000012